(57)【要約】【課題】  着脱可能な記録媒体に記録を行う記録装置において、ひとつの記録媒体に複数パーティションが存在する場合の記録先を容易に設定可能とすること。【解決手段】  複数のパーティションを有する着脱可能な記録媒体に対し、データ記録が可能な記録装置であって、装着された記録媒体のパーティションを認識するパーティション認識部１００１と、記録媒体の任意のパーティションに対して選択的に記録する記録・再生部１０５、パーティション選択部１００２と、記録設定と記録先パーティションとの関連付け情報を記憶する関連付け記憶部１００３と、データの記録先パーティションを関連付け情報に基づいて特定し、記録先パーティションとするシステムコントローラ１０６とを有する。【選択図】  図１
2005339725.tif 000002
【特許請求の範囲】
【請求項１】
複数のパーティションを有する着脱可能な記録媒体に対し、データ記録が可能な記録装置であって、
装着された記録媒体のパーティションを認識する認識手段と、
前記記録媒体の任意のパーティションに対して選択的に記録可能な記録手段と、
記録設定と記録先パーティションとの関連付け情報を記憶する記憶手段と、
データの記録先パーティションを前記関連付け情報に基づいて特定し、前記記録手段による記録先パーティションとする選択手段とを有することを特徴とする記録装置。
【請求項２】
前記データが画像データであり、前記予め記憶した関連付けが、前記記録装置における画像記録におけるパラメータの値と、前記記録先パーティションとの関連付けであることを特徴とする請求項１記載の記録装置。
【請求項３】
前記選択手段が、新たに記録媒体が装着された際に前記記録先パーティションを特定することを特徴とする請求項１又は請求項２記載の記録装置。
【請求項４】
前記選択手段が、前記データの記録時に前記記録先パーティションを特定することを特徴とする請求項１又は請求項２記載の記録装置。
【請求項５】
ユーザが前記記録装置に対して指示を与えるための操作手段と、
前記操作部からの指示に応じて、前記記録手段に記憶された前記関連付け情報を変更する関連付け情報変更手段をさらに有することを特徴とする請求項１乃至請求項３のいずれか１項に記載の記録装置。
【請求項６】
複数のパーティションを有する着脱可能な記録媒体に対してデータを記録するための記録方法であって、
装着された記録媒体のパーティションを認識する認識ステップと、
記録設定と記録先パーティションとの関連付け情報が記憶された記憶手段を参照して、データの記録先パーティションを特定するステップと、
前記特定した記録先パーティションにデータを記録する記録ステップとを有することを特徴とする記録方法。
【発明の詳細な説明】
【技術分野】
【０００１】
本発明は、着脱可能な記録媒体に記録を行うための記録装置及び記録方法に関する。
【背景技術】
【０００２】
従来、例えばデジタルカメラのような、着脱可能な記録媒体に画像・音声等の記録を行う装置においては、ひとつの記録媒体をひとつの論理フォーマット（ファイルシステム）で用いること、つまり１媒体あたり１パーティションとして取り扱うことが一般的であった。
【０００３】
図５は、このような従来の記録装置としてのデジタルカメラの構成例を示すブロック図である。図５において、レンズなどの光学系１０１から入射した撮像光は、撮像素子１０２で電気信号に変換される。カメラ信号処理部１０３は、撮像素子１０２が出力する電気信号のディジタル変換や、ホワイトバランス調整などの信号処理を行う。記録・再生信号処理部１０４は、記録時にはカメラ信号処理部１０３から受けた信号を記録媒体１１０へ記録するためのデータへ変換する。記録媒体１１０は全体が１つのボリュームとして論理フォーマットされた、着脱可能かつ読み書き可能な記録媒体（例えばＩＣメモリカード）である。記録・再生部１０５は、記録時には記録・再生信号処理部１０４からのデータを記録媒体１１０へ書き込みする。システムコントローラ１０６は、例えばＣＰＵ、ＲＡＭ、ＲＯＭを有し、ＲＯＭに記録されたプログラムをＲＡＭを利用しながらＣＰＵが実行することにより、装置内の各部の状態管理や実行処理制御などを行う。操作部１０７はユーザが撮影開始・終了などの処理実行・停止指示や各種設定などを本装置に入力するための本体ボタン・スイッチ、あるいはリモコンなどである。
【０００４】
出力処理部１０８は記録・再生信号処理部１０４から出力用の信号を受け、表示用データ、あるいは各種インターフェイスに応じたデータを出力する。ビューファインダ・液晶パネルなどの表示部１０９は、記録・再生信号処理部１０４からの出力用信号（記録画像の確認や設定メニューなど）を表示する。
【０００５】
なお、再生時においては、記録時と逆の動作を実行する。つまり、記録・再生部１０５が記録媒体１１０に記録されたデータを読み出し、記録・再生信号処理部１０４で出力用に信号変換を行い、出力処理部１０８へ出力する。
【０００６】
音声についてはとくに図示をしていないが、マイクを用いて集音したアナログ音声信号をカメラ信号処理部１０３でディジタル化し、記録・再生信号処理部１０４で必要に応じてノイズ除去やフィルタ処理を行った後、記録・再生部１０５で記録媒体に書き込まれる。また、再生時には、記録・再生部１０５が記録媒体１１０に記録されたデータを読み出し、記録・再生信号処理部１０４で出力用に信号変換を行い、出力処理部１０８へ出力する。そして、出力処理部１０８で増幅され、図示しないスピーカから出力される。
【０００７】
一方で、複数の記録媒体を利用可能な記録装置も提案されている。例えば特許文献１では、データ記録フォーマットの異なる少なくとも２つの第１及び第２の記録装置（ＩＣメモリカードとハードディスクカード）を持ち、ハードディスクカードはＡＣ電源駆動時のみ使用可能とする構成を提案している。また、特許文献２では、交換可能な記録媒体での複数パーティションを実現する方法を提案している。
【０００８】
従来、着脱可能な記録媒体の記憶容量は比較的少なく、大量のデータを格納するには不向きであると考えられてきた。しかし、着脱可能な記録媒体の大容量化により、大量のデータが記録可能となり、その利用方法について再考されるようになってきている。
【０００９】
さらに、着脱可能な記録媒体の大容量化は従来形式の論理フォーマット（ファイルシステム）で取り扱い可能な容量をも越えるようになり、従来形式の論理フォーマットとは互換性のない新規な形式の論理フォーマットも利用されるようになってきている。このような状況を鑑みると、従来形式の論理フォーマットとの互換性維持やデータ分類のため、同一記録媒体内に異なる論理フォーマットがなされた領域を混在させることや、記憶領域を複数パーティションに分割して使用するようになることが予想される。実際、パーソナルコンピュータにおいては、着脱可能な記憶媒体ではないが、ハードディスクの大容量化に伴い、ハードディスクの記憶領域を複数パーティションに分割し、用途に応じて各パーティションを使い分けることが一般的に行われている。
【００１０】
【特許文献１】特開平０８−１５３３７６号公報
【特許文献２】特開２０００−２６７８１８号公報
【発明の開示】
【発明が解決しようとする課題】
【００１１】
しかしながら、着脱可能な記録媒体を用いる従来の記録装置では、ひとつの記録媒体に複数パーティションが存在する場合の記録先の選択について考慮されていなかった。
【００１２】
本発明はこの課題に鑑みてなされたものであり、記録媒体内に複数のパーティションが存在する場合、設定により記録先パーティションを自動選択することでパーティション選択におけるユーザ操作の手間を軽減するとともに、選択ミスを減少させることを主な目的とする。
【課題を解決するための手段】
【００１３】
上述の課題は、複数のパーティションを有する着脱可能な記録媒体に対し、データ記録が可能な記録装置であって、装着された記録媒体のパーティションを認識する認識手段と、記録媒体の任意のパーティションに対して選択的に記録可能な記録手段と、記録設定と記録先パーティションとの関連付け情報を記憶する記憶手段と、データの記録先パーティションを関連付け情報に基づいて特定し、記録手段による記録先パーティションとする選択手段とを有することを特徴とする記録装置によって達成される。
【００１４】
また、上述の課題は、複数のパーティションを有する着脱可能な記録媒体に対してデータを記録するための記録方法であって、装着された記録媒体のパーティションを認識する認識ステップと、記録設定と記録先パーティションとの関連付け情報が記憶された記憶手段を参照して、データの記録先パーティションを特定するステップと、特定した記録先パーティションにデータを記録する記録ステップとを有することを特徴とする記録方法によっても達成される。
【発明の効果】
【００１５】
本発明によれば、複数のパーティションが存在する記録媒体が装着されても、記録設定から記録先パーティションが選択されるため、ユーザの設定変更操作における手間やミスが軽減され、複数パーティションを意識せずに通常の記録操作が行えるという効果がある。
【発明を実施するための最良の形態】
【００１６】
■（第１の実施形態）
以下添付図面に従って、本発明を実施するための最良の形態について詳細に説明する。
図１は、本発明の第１の実施形態に係る記録装置の構成例を示すブロック図であり、図５と同一な構成については同一番号を付し、基本的な説明を省略する。図１において、パーティション認識部１００１は、着脱可能な記録媒体１１０の有効なパーティション構成を認識する。１００２はパーティション選択部であり、システムコントローラ１０６の制御に従い、パーティション認識部１００１が認識した有効なパーティションの中から記録先のパーティションを選択する。関連付け記憶部１００３は、記録ファイルの形式やサイズなどの記録設定項目の設定値と、記録に優先的に利用するパーティションとの関連付け設定を記憶する。操作部１０７に含まれる設定変更操作部１０７１は、ユーザが表示部１０９に設定メニュー表示を指示し、関連付け記憶部１００３で利用する記録設定の変更・切換・選択操作を行うためのボタン・キー等である。なお、ここでは説明を簡単にするため、記録媒体１１０がパーティションＡ（１１０１）とパーティションＢ（１１０２）の２パーティションに分割されているものとしている。もちろん、パーティションが３つ以上あってもかまわない。
【００１７】
図２及び図３は、本実施形態に係る記録装置の動作を説明するフローチャートであり、図２は機器の電源投入あるいは記録媒体の装着認識をした場合に実行される動作を示している。なお、以下に説明する各種の処理動作は、上述したように、例えば図示しないＲＯＭに記録された制御プログラムを実行するシステムコントローラ１０６の制御によって実現される。
【００１８】
図２において、まずステップＳ２０１では、パーティション認識部１００１が、装着された記録媒体に対し、記録装置が認識可能な有効パーティションを含むかどうか調べ、結果をシステムコントローラ１０６へ通知する。ステップＳ２０２でシステムコントローラ１０６は、ステップＳ２０１で識別された有効パーティションが複数あるかの判定を行い、複数のパーティションを認識した場合にはＳ２０３へ進み、複数認識しない場合、従来同様の処理を行う。つまり、認識したひとつの有効パーティションをパーティション選択部１００２での選択先として設定を行い、認識可能な有効パーティションが存在しなかった場合には記録不可エラーと判定し、所定のエラー処理を実行する。
【００１９】
ここで図４に関連付け記憶部１００３が記憶している関連付け設定の例を示す。ここでは記録設定項目として記録ファイル形式を、記録に優先的に利用するパーティションを表す情報として論理フォーマット形式を用い、各記録ファイル形式に対して優先記録論理フォーマット形式の関連付けを行う。
【００２０】
ステップＳ２０３では例えば図示しない不揮発性ＲＡＭの一領域として実現される関連付け記憶部１００３が記憶している記録設定項目が記録ファイル形式であることを読み出し、装置に設定されている記録ファイル形式を読み出す。ステップＳ２０４では関連付けリスト４０１から装置の記録設定（ここでは、記録ファイル形式）に該当するパーティション項目（ここでは、論理フォーマット形式）を読み出す。ステップＳ２０５ではＳ２０４で読み出したパーティションが記録媒体１１０に存在するか判定を行い、存在した場合にはＳ２０６へ進み、存在しない場合にはＳ２０７へ進む。
【００２１】
ステップＳ２０６ではＳ２０４で読み出した該当パーティションをパーティション選択部１００２で選択する。一方、ステップＳ２０７では、関連付けリスト４０１に登録された、該当パーティションが存在しない場合のデフォルトパーティション（ここではプライマリパーティション）をパーティション選択部１００２で選択するか、またはユーザに使用可能なパーティションが存在しないことを警告し設定再変更等を促す。
【００２２】
次に、図３のフローチャートを用いて、記録媒体が装着されている状態で記録設定が変更された場合の処理について説明する。
【００２３】
まず、ステップＳ３０１で、記録媒体が装着された際に実行されたステップＳ２０２（図２）での結果をもとに、複数パーティションをすでに認識しているかの判定を行い、複数のパーティションを認識している場合にはＳ３０２へ進み、複数認識していない場合には本処理を終了する。
【００２４】
ステップＳ３０２では、ユーザにより変更された記録設定が、関連付け記憶部１００３が記憶している記録設定項目（ここでは、記録ファイル形式）であるかの判定を行い、該当する設定の変更であった場合にはＳ３０３へ進み、該当しない場合には本処理を終了する。ステップＳ３０３では関連付けリスト４０１から装置の記録設定（ここでは、記録ファイル形式）に該当するパーティション項目（ここでは、論理フォーマット形式）を読み出す。ステップＳ３０４ではステップＳ３０３で読み出したパーティションが記録媒体１１０に存在するか判定を行い、存在した場合にはＳ３０５へ進み、存在しない場合にはＳ３０６へ進む。
【００２５】
ステップＳ３０５ではＳ３０３で読み出したパーティションをパーティション選択部１００２で選択する。ステップＳ３０６では関連付けリスト４０１に登録された、該当パーティションが存在しない場合のデフォルトパーティション（ここではプライマリパーティション）をパーティション選択部１００２で選択するか、またはユーザに使用可能なパーティションが存在しないことを警告し設定再変更等を促す。
【００２６】
なお、装置が記録媒体に対して複数パーティションを設ける機能（論理フォーマット機能）を有し、例えば１パーティションの記録媒体に対し、複数のパーティションを構成するような構成変更が行われた場合にも、図２で説明した装着時処理と同様な処理を行うことで、媒体装着後の構成変更にも対応可能である。
【００２７】
また、ここでは記録設定と記録パーティションの関連付け項目として、それぞれ記録ファイル形式と論理フォーマット形式を用いたが、記録設定としては記録画像サイズ（画素数）、圧縮率（画質）、カメラの撮影設定・モード、ＭＰＥＧ−２規格などで用いられるプロファイル・レベルなど、画像記録における任意のパラメータを用いることが可能であり、関連づけされる記録パーティションの項目としてはパーティションの属性、パーティションサイズの大小などを用いることが可能である。つまり、任意の記録時パラメータの値と記録先パーティションを特定可能なパラメータとを関連付けることで、任意の記録時パラメータの値を満たすデータの記録先パーティションを特定することが可能である。
【００２８】
さらに、ここでは記録先パーティションの選択を記録媒体の認識時及び設定変更時に行っているが、記録実行時に図２と同様の処理を行うことで、記録媒体への記録直前に記録先パーティションを選択することも可能である。
【００２９】
なお、ここでは関連付けリストはひとつであるが、優先順位を設けることにより複数の関連付けリストを用いた記録先パーティションの選択を行うことも可能である。例えば、ある記録設定項目に対応付けされたパーティションが存在しない場合、別の記録設定項目と記録先パーティションを対応付けしたリストを用いて記録先パーティションを選択するようにすることができる。
【００３０】
以上説明したように、本実施形態によれば、複数の記録パーティションを有する着脱可能な記録媒体を利用可能な記録装置において、予め複数の記録パーティションと記録設定項目とを対応づけしておき、この対応づけに基づいて記録先パーティションを自動選択するので、記録媒体をユーザの意図に応じて利用することが可能となるほか、記録先パーティションを設定する手間を省くことができ、また同時に設定ミスを防止することができる。
【００３１】
■（第２の実施形態）
次に、本発明の第２の実施形態に係る記録装置について説明する。
本実施形態に係る記録装置は、図１の関連付け記憶部１００３が記憶している関連付けリスト４０１の変更機能を有する。換言すれば、システムコントローラ１０６が関連付け変更手段として動作する。
【００３２】
本実施形態においてシステムコントローラ１０６は、関連付け記憶部１００３の関連付けリスト４０１を変更するためのユーザインタフェースを表示部１０９に表示させ、操作部１０７に含まれる設定変更操作部１０７１の入力に応じて関連付けリスト４０１の内容変更を行う。
【００３３】
図６は本実施形態においてシステムコントローラ１０６が表示部１０９に提示するユーザインタフェースの例と、このユーザインタフェースを用いた変更処理について説明する図である。図６に示すように、本実施形態においては、デジタルカメラやデジタルビデオカメラをはじめとする電子機器で一般に用いられる階層的メニューを用いたグラフィカルユーザインタフェースを用いている。ユーザは設定変更操作部１０７１に含まれる矢印キーと実行キー（同等に機能する他のキーやボタンを含む）を操作し、所望のメニュー項目を選択して指示を与え、その指示に応じてシステムコントローラ１０６が動作することで、設定変更処理が行われる。
【００３４】
図７は本実施形態の記録装置における設定変更処理について説明するフローチャートである。以下、図６と図７を用いて設定変更処理について説明する。図７に示す処理は、例えば関連付けリストの変更が操作部１０７を通じて指示された場合に実行される。
【００３５】
まず、ステップＳ７０１で、記録パーティション項目の変更指示が検出された場合にはステップＳ７０２へ、検出されない場合にはステップＳ７０５へ移行する。ステップＳ７０２では、図１のパーティション選択部１００２が記録パーティションを選択する際の要因となる項目の設定を行う。
【００３６】
ステップＳ７０２においては、記録パーティション設定画面（図６：６０１）を表示する。上述のように、記録パーティション設定項目としてはフォーマット形式の他、パーティション属性や容量なども利用可能であり、設定画面６０１では記録先選択要因として設定可能な項目のうち具体的にどの項目とパーティションとの対応づけを行う（変更する）のかをユーザに選択させる。
【００３７】
ここでは、図６の６０１で示すように、フォーマット形式とパーティションとの対応づけの変更が指示されたものとする。この指示に応答し、システムコントローラ１０６はサブメニュー６０２を表示させる。
【００３８】
ステップＳ７０３ではステップＳ７０２で設定（選択）した要因の詳細と現在の選択先パーティション使用属性を設定画面６０２のように表示する。ここでは、設定画面６０１でフォーマット形式が指定されたので、本記録装置で認識・記録・再生可能なフォーマットの一覧と、個々のフォーマット形式の関連づけ状況とを示している。
【００３９】
具体的には、設定画面６０２の例では、装着されている記録媒体が３つのパーティションを有しており、そのうち第１のパーティションにはＡフォーマットが、第２のパーティションにはＣフォーマットがそれぞれ対応づけされており、Ｂフォーマットにはパーティションが対応づけされていないことを示している。
【００４０】
ユーザは、この設定画面６０２から、対応づけを変更したいフォーマット形式を選択、指示する。この指示に応答して、システムコントローラ１０６は選択されたフォーマット形式に対する設定画面６０３を表示する。
【００４１】
なお、本実施形態においては同一パーティションに対して異なるフォーマット形式が設定されること（二重登録）を防ぐため、選択済み（選択不可）のパーティションについてはグレイアウト表示することにより、設定できないことを視覚的に表している（設定画面６０３では既にＣフォーマット形式に対応づけされている第２のパーティションがグレイアウト表示されている）。もちろん、選択できないパーティションが選択された時点で警告表示などを行うことも可能である。
【００４２】
設定画面６０３で、ユーザはステップＳ７０２で選択したフォーマット形式に対して関連づけしたいパーティションもしくは関連付けしない（そのフォーマット形式を用いない）のいずれかを選択、指示する。
【００４３】
この指示に応答して、システムコントローラ１０６は、関連付けリストの記録パーティション項目の更新を行う（ステップＳ７０４）。
【００４４】
一方、ステップＳ７０５においては、記録設定画面（図６：６０４）を表示する。上述のように、記録設定項目としては静止画画像記録形式、静止画像サイズ、動画像記録形式、動画像サイズなども利用可能であり、設定画面６０４では設定可能な項目のうち具体的にどの項目とパーティションとの対応づけを行う（変更する）のかをユーザに選択させる。
【００４５】
ここでは、図６の６０４で示すように、静止画像記録形式とパーティションとの対応づけの変更が指示されたものとする。この指示に応答し、システムコントローラ１０６はサブメニュー６０５を表示させる。
【００４６】
ステップＳ７０６ではステップＳ７０５で設定（選択）した項目の詳細と現在の選択先パーティション使用属性を設定画面６０５のように表示する。ここでは、設定画面６０４で静止画像記録形式が指定されたので、本記録装置で認識・記録・再生可能な静止画像記録形式の一覧と、個々の記録形式の関連づけ状況とを示している。
【００４７】
具体的には、設定画面６０５の例では、ＣＣＤ−ＲＡＷ記録形式には第２のパーティションが、ＪＰＥＧファイン、ＪＰＥＧノーマルの記録形式には第１のパーティションがそれぞれ対応づけされていることを示している。
【００４８】
ユーザは、この設定画面６０５から、対応づけを変更したい記録形式を選択、指示する。この指示に応答して、システムコントローラ１０６は選択された記録形式に対する設定画面６０６を表示する。
【００４９】
なお、本実施形態においては未使用のパーティションに対して記録設定の関連付けが設定されることを防ぐため、選択不可のパーティションについてはグレイアウト表示することにより、設定できないことを視覚的に表している（設定画面６０６では未使用である第３のパーティションがグレイアウト表示されている）。もちろん、選択できないパーティションが選択された時点で警告表示などを行うことも可能である。
【００５０】
設定画面６０６で、ユーザはステップＳ７０６で選択した記録形式に対して関連づけしたいパーティションを選択、指示する。
この指示に応答して、システムコントローラ１０６は、関連付けリストの記録形式項目の更新を行う（ステップＳ７０４）。
【００５１】
図示しないいずれかの設定画面から終了の指示があった場合には処理を終了し（ステップＳ７０９）、終了指示がなければステップＳ７０１へ戻る。もちろん、リストの更新が終了した時点で自動的に処理を終了するようにしても良い。
これらの処理により関連付け記憶部１００３に関連付けリスト６０７が設定され記録時に利用される。
【００５２】
以上説明したように、本実施形態によれば、ユーザが記録設定と記録パーティションとの関連付けを行うことが可能となるため、互換性維持のための関連付け設定や記録設定に応じたデータ分類のための関連付け設定を行うことで、ユーザの好みに応じた記録先パーティションの選択を行えるという効果がある。
【００５３】
（他の実施形態）
上述の実施形態においては、１つの機器から構成される記録装置についてのみ説明したが、同等の機能を複数の機器から構成されるシステムによって実現しても良い。
【００５４】
尚、前述した実施形態の機能を実現するソフトウェアのプログラムを、記録媒体から直接、或いは有線／無線通信を用いて当該プログラムを実行可能なコンピュータを有するシステム又は装置に供給し、そのシステム或いは装置のコンピュータが該供給されたプログラムを実行することによって同等の機能が達成される場合も本発明に含む。
【００５５】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００５６】
その場合、プログラムの機能を有していれば、オブジェクトコード、インタプリタにより実行されるプログラム、ＯＳに供給するスクリプトデータ等、プログラムの形態を問わない。
【００５７】
プログラムを供給するための記録媒体としては、例えば、フレキシブルディスク、ハードディスク、磁気テープ等の磁気記録媒体、ＭＯ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ等の光／光磁気記憶媒体、不揮発性の半導体メモリなどがある。
【００５８】
有線／無線通信を用いたプログラムの供給方法としては、コンピュータネットワーク上のサーバに本発明を形成するコンピュータプログラムそのもの、もしくは圧縮され自動インストール機能を含むファイル等、クライアントコンピュータ上で本発明を形成するコンピュータプログラムとなりうるデータファイル（プログラムデータファイル）を記憶し、接続のあったクライアントコンピュータにプログラムデータファイルをダウンロードする方法などが挙げられる。この場合、プログラムデータファイルを複数のセグメントファイルに分割し、セグメントファイルを異なるサーバに配置することも可能である。
【００５９】
つまり、本発明の機能処理をコンピュータで実現するためのプログラムデータファイルを複数のユーザに対してダウンロードさせるサーバ装置も本発明に含む。
【００６０】
また、本発明のプログラムを暗号化してＣＤ−ＲＯＭ等の記憶媒体に格納してユーザに配布し、所定の条件を満たしたユーザに対して暗号化を解く鍵情報を、例えばインターネットを介してホームページからダウンロードさせることによって供給し、その鍵情報を使用することにより暗号化されたプログラムを実行してコンピュータにインストールさせて実現することも可能である。
【００６１】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００６２】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現され得る。
【図面の簡単な説明】
【００６３】
【図１】本発明の実施形態に係る記録装置の構成例を示すブロック図である。
【図２】本発明の第１の実施形態における記録媒体認識時の処理を示すフローチャートである。
【図３】本発明の第１の実施形態における記録設定変更時の処理を示すフローチャートである。
【図４】本発明の第１の実施形態における関連付け記憶部の関連付けリストの例を示す図である。
【図５】従来の代表的な記録装置の構成を説明するブロック図である。
【図６】本発明の第２の実施形態における関連付け変更設定処理の過程を説明する図である。
【図７】本発明の第２の実施形態における関連付け設定変更処理を示すフローチャートである。
【図１】
2005339725.tif 000003
【図２】
2005339725.tif 000004
【図３】
2005339725.tif 000005
【図４】
2005339725.tif 000006
【図５】
2005339725.tif 000007
【図６】
2005339725.tif 000008
【図７】
2005339725.tif 000009